(57)【要約】【課題】            安価で、気軽に持ち運べ、色の専門知識が無くても簡単に肌色を測定することができ、測定された人に色の専門知識が無くても自分の肌色を客観的に認識することができる、肌色測定方法を提供する。【解決手段】        ３０色の色票と肌の色を見比べることによって、簡便かつ高精度に肌色を測定することができ、しかも係る色票は安価である、気軽に持ち運べる、色の専門知識が無くても簡単に肌色を測定することができる、測定された人に色の専門知識が無くても自分の肌色を客観的に認識することができるという利点を有している。【選択図】          なし【特許請求の範囲】
【請求項１】
３０色の色票を用いて肌色を測定する方法。
【発明の詳細な説明】
【技術分野】
【０００１】
本発明は、簡便かつ高精度に肌色を測定する方法に関する。
【背景技術】
【０００２】
従来、店頭での美容アドバイスを消費者にわかりやすく行うため、被験者の肌の色を測色する測色機とコンピュータからなるカウンセリング装置が使用されている（特許文献１〜３参照）。
【０００３】
【特許文献１】特開２００１−２５４６０号公報
【特許文献２】特開２００３−１９０１０４号公報
【特許文献３】特開２００３−２７５１７９号公報
【発明の開示】
【発明が解決しようとする課題】
【０００４】
しかしながら、測色機とコンピュータからなるカウンセリング装置は、高価でしかもかさばって重いため、訪問販売などの販売者が手軽に購入し、手軽に持ち運ぶことは困難でした。また、かかる装置で測定した値を解析するためには、色などに関する専門知識が必要であり、販売者に高度な専門知識が要求され、また測定される側にとっても自分の肌色を客観的に認識することが困難でした。
【０００５】
そこで、本発明においては、安価で、手軽に持ち運べ、色の専門知識が無くても簡単に肌色を測定することができ、測定された人に色の専門知識が無くても自分の肌色を客観的に認識することができる、肌色測定方法を提供することを目的とした。
【課題を解決するための手段】
【０００６】
上記課題を解決するべく種々検討したところ、本発明者らは３０色の色票と肌の色を見比べることによって、簡便かつ高精度に肌色を測定することができ、しかも係る色票は安価である、手軽に持ち運べる、色の専門知識が無くても簡単に肌色を測定することができる、測定された人に色の専門知識が無くても自分の肌色を客観的に認識することができるという利点を有していることを見いだし、本願発明を完成した。
【発明の効果】
【０００７】
本発明は、簡便かつ高精度に肌色を測定することができ、しかも安価で、手軽に持ち運べ、色の専門知識が無くても簡単に肌色を測定することができ、測定された人に色の専門知識が無くても自分の肌色を客観的に認識することができるという効果を奏する。
【発明を実施するための最良の形態】
【０００８】
本発明において、色票はまずピンク（Ｐ），ナチュラル（Ｎ），オークル（Ｏ）の３種類の色相に分類され、さらに色相毎に低彩度（Ｌ），高彩度（Ｈ）の２種類，計６種類の系統に分類される。さらに各系統において１〜５の５段階の明るさ（明度）の色票が用意され、合計３０色の色票が色相，彩度毎にＰＬ１〜５（色相ピンク，低彩度），ＰＨ１〜５（色相ピンク，高彩度），ＮＬ１〜５（色相ナチュラル，低彩度），ＮＨ１〜５（色相ナチュラル，高彩度），ＯＬ１〜５（色相オークル，低彩度），ＯＨ１〜５（色相オークル，高彩度）の各５色を一連として計６本のカラー色票として提供される。各色票の標準測色値を表１に示す。
【０００９】
【表１】
2006017565.tif 000002
【００１０】
本発明にて用いる色票の素材は、光沢のない樹脂製の色票を用いると、光が反射せず色が見やすく、耐久性にも優れ、しかも安価である。
【００１１】
（測定準備）
肌色を測定する際、被験者は無化粧の状態で、髪が顔にかからないようにし、襟元から洋服の色が見えないようにエプロンをかけることにより、化粧や服装による干渉を受けず、素肌の色を測定することができる。エプロンをかけない場合には、着用している服装に最も合った肌色を測定することができる。さらに、鏡の前で測定すると被験者にもどの肌色であるかがよく見えるので、鏡の前で肌色を測定することが好ましい。
【００１２】
（肌色測定１）
肌色を測定する際は、まずＮＬ１〜５の色票を頬骨より指一本分下の部分にあて、肌色と色票の色の違いを見比べる。この際、色票よりも肌に赤みを感じる場合は、次にＰＬ１〜５及びＰＨ１〜５の色票を使用する。色票よりも肌に黄みを感じる場合は、次にＯＬ１〜５及びＯＨ１〜５の色票を使用する。色票と色みの違いを感じない場合は、次にＮＬ１〜５及びＮＨ１〜５の色票を使用する。
【００１３】
（肌色測定２）
肌色測定１で選んだ色票２本を頬骨より指一本分下の部分にあて、交互に見比べながら、高彩度，低彩度のどちらが肌色に近いかを判断する。
【００１４】
（肌色測定３）
肌色測定２で選んだ色票を頬骨より指一本分下の部分にあて、上下にスライドさせながら、肌の明るさを確認する。この際、肌色は十人十色で、色票と完全に一致するとは限らない。また同じ色でも色票と肌の質感が微妙に異なるため，色の感じ方が違うこともある。最も近い色を見つけることにより、肌色を測定する。
【００１５】
測定時には、被験者と測定者がお互いの判断を確認しながら、合意の基に測定することにより、被験者，測定者共に納得のいく客観的な測定を行うことができる。
【００１６】
肌色測定を行う際、頬骨より指一本分下の部分に赤みがある場合、近くの赤みが目立たない部分で測定する。肌色が測定しにくい場合、額などにも色票を動かし、顔全体の色と比較する。二本の色票を見比べる際は、手早く交互に肌に近づけ、色の違いを判断する。
【００１７】
なお、肌色は同じ人でも体調や生活環境、年齢によって変化する。主な変化としては、日焼けによる変化と加齢による変化がある。日焼けをすると肌色はやや赤みを増し、濃くなる傾向にある。加齢による変化としては，肌色が濃く、赤みが少なくなり肌が黄みを帯びてくる傾向にある。
【００１８】
上述の方法で、メイクアップや洋服の色の影響を受けずに肌色を測定することにより、被験者の肌の美しさや個性を引き立てる色の傾向（フィットカラー）を判断する手がかりとすることができる。フィットカラーを身につけると、装いに自信が持て、それが自然にしぐさや行動に現れる。また身につけたことがない色に関心が向いたり、苦手としていた色も使いこなすことができるようになり、ファッションやメイクアップの色選びの幅が広がり、より魅力的な装いができるようになる。
【００１９】
フィットカラーは、肌色のほかに、髪や瞳の色、被験者の体型などによって予測することができ、表２に示した色のテストドレープを胸の前に広げることにより最終的に判断することができる。フィットカラーが顔の近くにあると、
（１）肌がなめらかで、透明感を感じる
（２）顔色がよく見える
（３）肌のトラブルが目立たない
（４）瞳が輝いて見える
（５）髪の色に艶が出ているように感じる
（６）顔立ちがはっきりしているように感じる
（７）全体が明るく輝いた感じがする
（８）生き生きした印象がする
ことがある。フィットカラーはクールドミナント，ナチュラル，ウォームドミナントの３グループに大別できるが、かならずしも一つのグループにだけあてはまるわけではない。また、各カラーグループごとに、赤，ピンク，オレンジ，黄，緑，青，紫の各有彩色、茶ベージュ，紺，白，グレイ，黒の各基本色毎に似合い易い具体的な色を提案することができる。
【００２０】
【表２】
2006017565.tif 000003
【実施例１】
【００２１】
２０歳台の女性被験者Ａはメイクアップをおとし白いエプロンを着用して、鏡の前に着席した。測定者がＮＬ１〜５の色票を肌にあてると色票よりも肌に赤みを感じた。ついでＰＬ１〜５，ＰＨ１〜５を交互に肌にあてると、ＰＬ１〜５に近い印象であった。ＰＬ１〜５の色票を用いて明るさを判断し、被験者Ａの肌色はＰＬ２に最も近かった。また表２に示した色のドレープをあてると、ピンク系はストロベリー，青系はサファイアブルー，緑系はミントグリーン，茶系はココアブラウンが一番似合っていたため，フィットカラーはクールドミナントに近いナチュラル系であると判断し、似合う色の提案を行った。
【実施例２】
【００２２】
４０歳台の女性被験者Ｂはメイクアップを落とし白いエプロンを着用して、鏡の前に着席した。測定者がＮＬ１〜５の色票を肌にあてると色票よりも肌に黄みを感じた。ついでＯＬ１〜５，ＯＨ１〜５を交互に肌にあてると、ＯＨ１〜５に近い印象であった。ＯＨ１〜５の色票を用いて明るさを判断し、被験者Ｂの肌色はＯＨ４に最も近かった。また表２に示した色のドレープをあてると、ピンク系はコーラル，青系はサファイアブルー，緑系はティーグリーン，茶系はゴールデンブラウンが一番似合っていたため，フィットカラーはナチュラルに近いウォームドミナントであると判断し、似合う色の提案を行った。